(57)【要約】【課題】追記目的用の記録媒体の作成方法及び作成装置並びに該方法で作成された記録媒体の提供。【解決手段】記録媒体の第１セッションのリードイン・ＴＯＣに、少なくとも次のセッションで追記される画像再生機器用データの開始アドレスを記録し、データ本体に、少なくとも画像再生機器用データであることを認識させるためのダミーの画像再生機器用データを記録、又は、データ本体に、少なくとも次のセッションで追記される画像再生機器用データを再生させるための再生指示情報を含むダミーの画像再生機器用データを記録するものであり、上記記録媒体に画像再生機器用データを追記した後、該記録媒体を画像再生機器に装填すると、画像再生機器ではリードイン・ＴＯＣの開始アドレス又はダミー画像再生機器用データの再生指示情報を参照して、次のセッションの画像再生機器用データを認識して再生する。【選択図】図１１
2005353161.tif 000002
【特許請求の範囲】
【請求項１】
特定種のデータを追記するためのディスク型記録媒体を作成する装置であって、
前記ディスク型記録媒体の内側に、セッションの開始位置を示すリードイン・ＴＯＣと、データ本体と、前記セッションの終了位置を示すリードアウトとを記録する際に、
前記リードイン・ＴＯＣに、少なくとも、次のセッションで追記される前記特定種のデータの開始アドレスを書き込み、
前記データ本体に、少なくとも、前記特定種のデータと認識されるデータを書き込む記録手段を備えることを特徴とする追記目的用記録媒体の作成装置。
【請求項２】
特定種のデータを追記するためのディスク型記録媒体を作成する装置であって、
前記ディスク型記録媒体の内側に、セッションの開始位置を示すリードイン・ＴＯＣと、データ本体と、前記セッションの終了位置を示すリードアウトとを記録する際に、
前記データ本体に、少なくとも、前記特定種のデータと認識されるデータであって、次のセッションで追記される前記特定種のデータを再生させるための再生指示情報を含むデータを書き込む記録手段を備えることを特徴とする追記目的用記録媒体の作成装置。
【請求項３】
前記記録手段では、前記データ本体に、更に、前記追記される前記特定種のデータの元となる画像データをコンピュータ機器で再生させるためのアプリケーションを書き込むことを特徴とする請求項１又は２に記載の追記目的用記録媒体作成装置。
【請求項４】
前記特定種のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項１乃至３のいずれか一に記載の追記目的用記録媒体作成装置。
【請求項５】
特定種のデータを追記するためのディスク型記録媒体を作成する方法であって、
前記ディスク型記録媒体の内側に、セッションの開始位置を示すリードイン・ＴＯＣと、データ本体と、前記セッションの終了位置を示すリードアウトとを記録する際に、
前記リードイン・ＴＯＣに、少なくとも、次のセッションで追記される前記特定種のデータの開始アドレスを書き込み、
前記データ本体に、少なくとも、前記特定種のデータと認識されるデータを書き込むことを特徴とする追記目的用記録媒体の作成方法。
【請求項６】
特定種のデータを追記するためのディスク型記録媒体を作成する方法であって、
前記ディスク型記録媒体の内側に、セッションの開始位置を示すリードイン・ＴＯＣと、データ本体と、前記セッションの終了位置を示すリードアウトとを記録する際に、
前記データ本体に、少なくとも、前記特定種のデータと認識されるデータであって、次のセッションで追記される前記特定種のデータを再生させるための再生指示情報を含むデータを書き込むことを特徴とする追記目的用記録媒体の作成方法。
【請求項７】
前記データ本体に、更に、前記追記される前記特定種のデータの元となる画像データをコンピュータ機器で再生させるためのアプリケーションを書き込むことを特徴とする請求項５又は６に記載の追記目的用記録媒体の作成方法。
【請求項８】
前記特定種のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項５乃至７のいずれか一に記載の追記目的用記録媒体の作成方法。
【請求項９】
ディスク型記録媒体の内側に、セッションの開始位置を示すリードイン・ＴＯＣと、特定種のデータと認識されるデータを含むデータ本体と、前記セッションの終了位置を示すリードアウトとからなる第１セッションのデータが記録され、
前記リードイン・ＴＯＣに、少なくとも、第２セッションで追記される前記特定種のデータの開始アドレスが記録されていることを特徴とする追記目的用記録媒体。
【請求項１０】
ディスク型記録媒体の内側に、セッションの開始位置を示すリードイン・ＴＯＣと、特定種のデータと認識されるデータを含むデータ本体と、前記セッションの終了位置を示すリードアウトとからなる第１セッションのデータが記録され、
前記特定種のデータと認識されるデータに、少なくとも、第２セッションで追記される前記特定種のデータを再生させるための再生指示情報が記録されていることを特徴とする追記目的用記録媒体。
【請求項１１】
前記データ本体に、更に、前記追記される前記特定種のデータの元となる画像データをコンピュータ機器で再生させるためのアプリケーションが記録されていることを特徴とする請求項９又は１０に記載の追記目的用記録媒体。
【請求項１２】
前記特定種のデータは、Ｖｉｄｅｏ−ＣＤ形式、ＤＶＤ−Ｖｉｄｅｏ形式、又は、ＨＤＴＶ形式のいずれかの形式のデータであることを特徴とする請求項９乃至１１のいずれか一に記載の追記目的用記録媒体。
【発明の詳細な説明】
【技術分野】
【０００１】
本発明は、記録媒体の作成方法及び作成装置並びに記録媒体に関し、特に、ＤＶＤプレーヤ、ＤＶＤレコーダ、ＨＤＤレコーダ、ゲーム機等の画像再生機器用のデータを追記することができる記録媒体の作成方法及び作成装置並びに該方法で作成された記録媒体に関する。
【背景技術】
【０００２】
近年、写真に関連する様々なサービスが提供されるようになってきている。例えば、ユーザがデジタルカメラで写真を撮影し、写真の静止画像データや動画データを記録したデジタルカメラやデジタルカメラ用メディアをミニラボ等の写真店に持ち込むと、写真店では記録装置を用いてデジタルカメラやメディアから静止画像データや動画データを読み取り、ＣＤ−ＲやＤＶＤ−Ｒなどの記録媒体に書き込むサービスが行われている（例えば、下記特許文献１など）。また、デジタルカメラで撮影して得られた静止画像データや動画データを、ＤＶＤプレーヤやＤＶＤレコーダなどの画像再生機器で再生可能なＶｉｄｅｏ−ＣＤやＤＶＤ−Ｖｉｄｅｏなどの形式のデータに変換してＣＤ−ＲやＤＶＤ−Ｒなどの記録媒体に書き込むサービスも行われている。
【０００３】
【特許文献１】特開平５−１８２３７３号公報（第４−６頁、第３図）
【発明の開示】
【発明が解決しようとする課題】
【０００４】
上記サービスの利用形態は様々であり、写真店などに設置されたキオスクなどの端末を用いて記録媒体に画像データを書き込むユーザもいれば、自己が保有するパーソナルコンピュータなどのコンピュータ機器を用いて自宅で記録媒体に画像データを書き込むことを望むユーザもいる。また、画像データをコンピュータ機器でも画像再生機器でも再生できるようにするためには、これらの機器用のデータ以外に、画像データをコンピュータ機器で再生させるためのアプリケーションも必要となる。
【０００５】
ここで、キオスクなどの端末で画像データを書き込む場合は、ブランクの記録媒体を端末にセットすればアプリケーションやオリジナル画像データ、画像再生機器用に変換されたデータなどが自動的に記録媒体に書き込まれるが、自宅のコンピュータ機器などで画像データを書き込む場合は、オリジナル画像データや画像再生機器用に変換されたデータを書き込むことはできても、アプリケーションはユーザ自らが用意しなければならず不便である。そこで、このような場合は予め所定のアプリケーションが記録された記録媒体をユーザに提供する必要がある。
【０００６】
しかしながら、アプリケーションが予め記録されている記録媒体に画像再生機器用データを記録しても、画像再生機器では、記録媒体の所定の領域（通常は、ディスク型記録媒体の最内周の領域）に画像再生機器用データが記録されていないと再生することができないため、ユーザは画像再生機器用データを追記することができないという問題がある。
【０００７】
本発明は、上記問題点に鑑みてなされたものであって、その主たる目的は、ＤＶＤプレーヤやＤＶＤレコーダ、ＨＤＤレコーダ、ゲーム機のような画像再生機器用データを追記することができる記録媒体の作成方法及び作成装置並びに該方法で作成された記録媒体を提供することにある。
【課題を解決するための手段】
【０００８】
上記目的を達成するため、本発明の追記用記録媒体の作成装置は、特定種のデータを追記するためのディスク型記録媒体を作成する装置であって、前記ディスク型記録媒体の内側に、セッションの開始位置を示すリードイン・ＴＯＣと、データ本体と、前記セッションの終了位置を示すリードアウトとを記録する際に、前記リードイン・ＴＯＣに、少なくとも、次のセッションで追記される前記特定種のデータの開始アドレスを書き込み、前記データ本体に、少なくとも、前記特定種のデータと認識されるデータを書き込む記録手段を備えるものである。
【０００９】
また、本発明の追記用記録媒体の作成装置は、特定種のデータを追記するためのディスク型記録媒体を作成する装置であって、前記ディスク型記録媒体の内側に、セッションの開始位置を示すリードイン・ＴＯＣと、データ本体と、前記セッションの終了位置を示すリードアウトとを記録する際に、前記データ本体に、少なくとも、前記特定種のデータと認識されるデータであって、次のセッションで追記される前記特定種のデータを再生させるための再生指示情報を含むデータを書き込む記録手段を備えるものである。
【００１０】
本発明においては、前記記録手段では、前記データ本体に、更に、前記追記される前記特定種のデータの元となる画像データをコンピュータ機器で再生させるためのアプリケーションを記録する構成とすることができる。
【００１１】
また、本発明においては、前記特定種のデータは、Ｖｉｄｅｏ−ＣＤ形式、ＤＶＤ−Ｖｉｄｅｏ形式、又は、ＨＤＴＶ形式のいずれかの形式のデータであることが好ましい。
【００１２】
また、本発明の追記目的用記録媒体の作成方法は、特定種のデータを追記するためのディスク型記録媒体を作成する方法であって、前記ディスク型記録媒体の内側に、セッションの開始位置を示すリードイン・ＴＯＣと、データ本体と、前記セッションの終了位置を示すリードアウトとを記録する際に、前記リードイン・ＴＯＣに、少なくとも、次のセッションで追記される前記特定種のデータの開始アドレスを書き込み、前記データ本体に、少なくとも、前記特定種のデータと認識されるデータを書き込むものである。
【００１３】
また、本発明の追記目的用記録媒体の作成方法は、特定種のデータを追記するためのディスク型記録媒体を作成する方法であって、前記ディスク型記録媒体の内側に、セッションの開始位置を示すリードイン・ＴＯＣと、データ本体と、前記セッションの終了位置を示すリードアウトとを記録する際に、前記データ本体に、少なくとも、前記特定種のデータと認識されるデータであって、次のセッションで追記される前記特定種のデータを再生させるための再生指示情報を含むデータを書き込むものである。
【００１４】
また、本発明の追記目的用記録媒体は、ディスク型記録媒体の内側に、セッションの開始位置を示すリードイン・ＴＯＣと、特定種のデータと認識されるデータを含むデータ本体と、前記セッションの終了位置を示すリードアウトとからなる第１セッションのデータが記録され、前記リードイン・ＴＯＣに、少なくとも、第２セッションで追記される前記特定種のデータの開始アドレスが記録されているものである。
【００１５】
また、本発明の追記目的用記録媒体は、ディスク型記録媒体の内側に、セッションの開始位置を示すリードイン・ＴＯＣと、特定種のデータと認識されるデータを含むデータ本体と、前記セッションの終了位置を示すリードアウトとからなる第１セッションのデータが記録され、前記特定種のデータと認識されるデータに、少なくとも、第２セッションで追記される前記特定種のデータを再生させるための再生指示情報が記録されているものである。
【００１６】
このように、本発明の構成によれば、ディスク型記録媒体には、所定のセッションのデータとして、該セッションの先頭に記録されるリードイン・ＴＯＣに、少なくとも次のセッションに追記する特定種のデータの開始アドレスが記録されると共に、データ本体に、特定種のデータであると認識されるデータなどが記録されるため、ユーザが該記録媒体に特定種のデータを追記したとしても、追記した特定種のデータを画像再生機器で認識し、再生することができ、予め必要なデータやアプリケーションが記録された記録媒体を追記用の記録媒体としてユーザに提供することができる。
【００１７】
また、所定のセッションのデータとして、データ本体に、特定種のデータであると認識されるデータであって、次のセッションに追記する特定種のデータを再生させるための情報を含むデータなどが記録されるため、この構成でも、追記した特定種のデータを画像再生機器で認識し、再生することができ、予め必要なデータやアプリケーションが記録された記録媒体を追記用の記録媒体としてユーザに提供することができる。
【発明の効果】
【００１８】
以上説明したように、本発明の追記目的用記録媒体の作成方法及び作成装置並びに該方法で作成された記録媒体によれば、予めダミーデータやアプリケーションが記録された記録媒体に、ＤＶＤプレーヤやＤＶＤレコーダ、ＨＤＤレコーダ、ゲーム機等の画像再生機器で再生可能な画像再生機器用データを追記することができる。
【００１９】
その理由は、ＣＤ−Ｒ／ＲＷやＤＶＤ±Ｒ／ＲＷ、ＤＶＤ−ＲＡＭ、Ｂｌｕ−ｒａｙディスクのようなディスク型記録媒体には、第１セッションのデータとして、セッションの先頭に記録されるリードイン・ＴＯＣに、第１セッションのデータ本体に記録されるデータの開始アドレスに加えて、第２セッションに追記する画像再生機器用データの開始アドレスが記録されると共に、データ本体に、画像再生機器用データであると認識されるダミーの画像再生機器用データやコンピュータ機器で画像データを再生する際に利用される画像表示プログラムなどのアプリケーションが記録されるからである。
【００２０】
また、ディスク型記録媒体には、第１セッションのデータとして、リードイン・ＴＯＣに、第１セッションのデータ本体に記録されるデータの開始アドレスが記録されると共に、データ本体に、画像再生機器用データであると認識されるデータであって、第２セッションに追記する画像再生機器用データを再生させるための情報（再生指示情報）を含むダミーの画像再生機器用データやコンピュータ機器で画像データを再生する際に利用される画像表示プログラムなどのアプリケーションが記録されるからである。
【００２１】
そして、第１セッションに上記データが記録された記録媒体に、ユーザが画像再生機器用データを追記したとしても、リードイン・ＴＯＣやダミーの画像再生機器用データを参照して、追記した画像再生機器用データを画像再生機器で認識し、再生することができるため、予め必要なデータやアプリケーションが記録された記録媒体を追記用の記録媒体としてユーザに提供することができる。
【発明を実施するための最良の形態】
【００２２】
本発明の追記用記録媒体の作成方法は、その好ましい一実施の形態において、記録媒体の第１セッションに、セッションの開始位置を示すリードイン・ＴＯＣとデータ本体とセッションの終了位置を示すリードアウトとを記録する際に、リードイン・ＴＯＣに、第１セッションのデータ本体に記録するデータの開始アドレスと共に、次のセッションで追記される画像再生機器用データの開始アドレスを記録し、データ本体に、画像再生機器用データであると認識されるダミーの画像再生機器用データと画像データをコンピュータ機器で再生するための画像表示プログラムなどのアプリケーションとを記録、又は、データ本体に、次のセッションで追記される画像再生機器用データを再生させるための再生指示情報を含むダミーの画像再生機器用データと画像表示プログラムなどのアプリケーションとを記録するものであり、このようにして作成された記録媒体に対して記録装置を用いて画像再生機器用データを追記した後、画像再生機器用データが追記された記録媒体を画像再生機器に装填すると、画像再生機器では、予め記録された第１セッションのリードイン・ＴＯＣに記録された開始アドレス又はダミー画像再生機器用データに記録された再生指示情報を参照して、次のセッションの画像再生機器用データを認識して再生する。これにより、通常、追記しても再生することができない画像再生機器用データを追記できるようにすることができる。
【実施例１】
【００２３】
上記実施形態について詳細に説明すべく、本発明の第１の実施例に係る追記目的用記録媒体の作成方法及び作成装置並びに該方法で作成された記録媒体について、図１乃至図１４を参照して説明する。図１は、本実施例に係るデータ追記システムの構成を模式的に示す外観図であり、図２乃至図５は、追記目的用記録媒体作成装置の構成のバリエーションを示す図である。また、図６は、追記目的用記録媒体作成装置の機能を示すブロック図であり、図７は、記録装置の機能を示すブロック図である。また、図８は、本実施例の追記目的用記録媒体作成装置を用いた追記目的用記録媒体の作成手順を示すフローチャート図であり、図９は、本実施例の記録装置を用いたデータの追記手順を示すフローチャート図、図１０は、データが追記された記録媒体の再生手順を示すフローチャート図である。また、図１１は、各々のセッションの構成を示す図、図１２は、記録媒体におけるデータの記録領域を示す図、図１３は記録媒体（ＣＤ−Ｒ）の構造を模式的に示す図、図１４は、記録媒体におけるデータの構成を示す図である。
【００２４】
図１に示すように、本実施例のデータ追記システム１は、追記目的用記録媒体（以下、単に記録媒体２と呼ぶ。）を作成する追記目的用記録媒体作成装置１０と、該記録媒体２に少なくとも画像データ（静止画像データ、動画データ、画像情報を含むデータを総称して画像データと呼ぶ。）に基づいて作成された画像再生機器用データを追記する記録装置２０と、画像再生機器用データが追記された記録媒体２ａを用いて画像を再生するパーソナルコンピュータなどのコンピュータ機器３０及びＤＶＤプレーヤやＤＶＤレコーダ、ＨＤＤレコーダ、ゲーム機などの画像再生機器４０とからなる。
【００２５】
また、追記目的用記録媒体作成装置１０は、少なくとも、ブランクの記録媒体２又は所定の識別情報が記録された記録媒体２を装填する記録媒体装填部１１を備えている。この追記目的用記録媒体作成装置１０の構成をブロック図で示すと図６に示すようになり、追記される画像再生機器用データの記録媒体２上の開始アドレスや、画像再生機器用データであると認識されるデータ（以下、ダミーの画像再生機器用データと呼ぶ。）やアプリケーションなどを記憶する記憶手段１２と、第１セッションのリードイン・ＴＯＣ（データ群の単位である「セッション」の先頭に存在する、各セッションの情報（セッションの目次やトラック情報など）を記録した領域であり、ＴＯＣを含む領域をリードイン・ＴＯＣと呼ぶ。）に第１セッションに記録されるデータの開始アドレスと、上記追記される画像再生機器用データの開始アドレスとを記録すると共に、リードイン・ＴＯＣとリードアウト（各セッションの終端を示す領域）との間に記録されるデータ（以下、データ本体と呼ぶ。）に、書き込み順序を制御してダミーの画像再生機器用データやアプリケーションを記録する記録手段１３とを備えている。
【００２６】
なお、図１では、追記目的用記録媒体作成装置１０として、写真店やコンビニエンスストア等の店舗に設置可能なキオスク型の装置を記載しているが、追記目的用記録媒体作成装置１０の形態は任意であり、例えば、図２に示すようにパーソナルコンピュータなどのコンピュータ機器としてもよいし、図３に示すように専用のセットトップボックスとしたり、図４に示すようにポータブルライタとしたり、図５に示すようにＤＶＤレコーダやＨＤＤレコーダとしてもよいし、演算処理機能を備えたカーナビゲーション機器などとしてもよい。
【００２７】
また、追記目的用記録媒体作成装置１０によって第１セッションにデータが記録された記録媒体２に画像再生機器用データを追記する記録装置２０は、スマートメディア、コンパクトフラッシュ（登録商標）、メモリースティック（登録商標）、ＳＤメモリーカード、マルチメディアカードなどの記録媒体（以下、メディア３と呼ぶ。）を装填するメディア装填部２２、デジタルカメラ４（デジタルスチルカメラ及びデジタルムービーカメラの双方を含む。）やカメラ付き携帯電話機５等の撮影機器を有線又は無線、赤外線等によって接続するための機器接続部２３、インターネット等の通信ネットワーク６を介してサーバ７から画像データなどをダウンロードするネットワーク接続部等と、メディア３やデジタルカメラ４から読み取った、又はサーバ７からダウンロードした画像データやＤＶＤプレーヤやＤＶＤレコーダ、ＨＤＤレコーダ、ゲーム機などで再生可能な形式に変換されたデータなどが追記されるＣＤ−Ｒ／ＲＷやＤＶＤ±Ｒ／ＲＷ、ＤＶＤ−ＲＡＭ、Ｂｌｕ−ｒａｙディスク等の記録媒体２を装填する記録媒体装填部２１と、ボタン、キーボード、マウス等の操作手段２９及びＬＣＤ、ＣＲＴ等の表示手段２８とを備えている。
【００２８】
上記記録装置２０の機能をブロック図で示すと図７のようになる。すなわち、メディア装填部２２、機器接続部２３、ネットワーク接続部等を用いて、画像データや必要に応じて音楽データ、アプリケーションなどを入力するデータ入力手段２５と、入力した画像データから、ＤＶＤプレーヤやＤＶＤレコーダ、ＨＤＤレコーダ、ゲーム機などの画像再生機器で再生可能なＶｉｄｅｏ−ＣＤ、ＤＶＤ−Ｖｉｄｅｏ、ＨＤＴＶ等の形式のデータを生成したり、必要に応じてオリジナルの画像データのデータサイズを縮小したサムネイル画像データやスクリーンネイル画像データなどの縮小画像データを生成するデータ変換手段２６と、記録媒体装填部２１に装填された記録媒体２に、画像再生機器用データや必要に応じてオリジナル画像データ、縮小画像データなどを追記するデータ記録手段２７と、表示手段２８及び操作手段２９とを備えている。
【００２９】
上記記録装置２０の形態も任意であり、例えば、キオスク型の記録装置としてもよいし、専用のセットトップボックスとしたり、ポータブルライタとしたり、ＤＶＤレコーダやＨＤＤレコーダとしてもよいし、演算処理機能を備えたカーナビゲーション機器などとしてもよい。
【００３０】
次に、上記構成の追記目的用記録媒体作成装置１０を用いて、追記目的用の記録媒体２を作成する手順について、図８のフローチャート図を参照して説明する。
【００３１】
まず、ステップＳ１０１で、追記目的用記録媒体作成装置１０の記録媒体装填部１１に記録媒体２を装填する。次に、ステップＳ１０２で、装填された記録媒体２が本発明の記録媒体として適しているかをチェックする。例えば、既にセッションで区分されたデータが記録されてないかをチェックしたり、予め定められた領域に記録媒体２を識別するための識別情報などが記録されているかなどをチェックする。
【００３２】
例えば、識別情報に基づいて記録媒体２の適否を判定する場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。
【００３３】
ここで、一般的な記録媒体２の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称（製造者コード）などの情報を記録媒体２の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に記録媒体２の識別情報を書き込むことにより、識別情報自体がコピーされないようにすることができる。
【００３４】
なお、この識別情報の具体的な構成は任意であるが、上記したように記録媒体２の論理アドレス領域外には製造者コードが予め記録されていることから、この製造者コードと記録媒体２に対して付与される番号（製造ＩＤ）や記録媒体２自体の特性（最大書込倍速）などとを識別情報として用いることにより、記録媒体２が正規に作成されたものか否かを簡単かつ確実に識別することができる。
【００３５】
次に、ステップＳ１０３で、記憶手段１２から、第１セッションのリードイン・ＴＯＣに書き込む追記される画像再生機器用データの記録媒体２上の開始アドレスと、データ本体に書き込むダミーの画像再生機器用データ及び画像表示プログラムなどのアプリケーションとを読み出す。
【００３６】
なお、ここでは、第１セッションに書き込むデータ本体として、第１セッションのデータを画像再生機器４０で再生させるためのダミーの画像再生機器用データ及び画像データをコンピュータ機器３０で再生するための画像表示プログラムを例にして説明するが、データ本体としてはダミーの画像再生機器用データが含まれていればよく、アプリケーションが含まれていなくてもよいし、上記以外の他のデータやアプリケーションなどが含まれていてもよい。また、ダミーの画像再生機器用データとは、画像再生機器用データであることを認識させるための情報を意味し、画像再生機器用データとしての体裁を備えていない情報としてもよいし、画像再生機器用データのフォルダ構造を備えているが表示データを含まないデータとしてもよいし、予め定められた特定の情報（例えば、タイトル画面）のみが表示されるデータとしてもよい。このダミーの画像再生機器用データは記憶手段１２に予め記憶されていてもよいし、追記目的用記録媒体作成装置１０にデータ生成手段を設け、記録媒体２が記録媒体装填部１１に装填されたら自動的にダミーの画像再生機器用データを生成するようにしてもよい。
【００３７】
また、追記される画像再生機器用データは第２セッションに記録されるものであるにも関わらず、その開始アドレスを特定できる理由について説明する。図１１に示すように、第１セッションは、リードイン・ＴＯＣと、画像表示プログラム及びダミーの画像再生機器用データが記録されたデータ本体と、リードアウトとで構成されているが、画像表示プログラムは予め選択されたアプリケーションであるためそのデータ長は既知であり、ダミーの画像再生機器用データも何も表示させない又は予め定められた情報のみを表示されるデータであるため、そのデータ長も既知であり、このことからデータ本体のデータ長を特定できる。また、リードイン・ＴＯＣ及びリードアウトは予めデータ長が定められている。従って、第１セッションに記録されるリードイン・ＴＯＣとデータ本体とリードアウトのデータ長を特定することができるため、第２セッションのデータ本体に追記される画像再生機器用データの開始アドレスｂを事前に特定することができる。
【００３８】
次に、ステップＳ１０４で、記録手段１３を用いて、記録媒体２の内側にリードイン・ＴＯＣを書き込む。その際、通常、リードイン・ＴＯＣにはそのセッション（ここでは第１セッション）内のデータ本体に書き込むデータに関する情報のみを書き込むが、本実施例では、上記情報に加えて、次のセッション（ここでは第２セッション）のデータ本体に書き込む予定の画像再生機器用データの開始アドレスも書き込む。すなわち、本実施例では、リードイン・ＴＯＣには、第１セッションのデータ本体の開始アドレス（図１１の開始アドレスａ）のみならず、第２セッションの画像再生機器用データの開始アドレス（図１１の開始アドレスｂ）も書き込むことを特徴としている。
【００３９】
次に、記録手段１３を用いてデータ本体の書き込みを行う。具体的には、ステップＳ１０５で、記憶手段１２から読み込んだダミーの画像再生機器用データを書き込み、ステップＳ１０６で、画像表示プログラムなどのアプリケーションを書き込む。次に、ステップＳ１０７で、記録手段１３を用いてデータ本体の外側にリードアウトを書き込み、第１セッションのデータの書き込みを終了する。
【００４０】
上記手順で作成された記録媒体２には図１２に示すように各種情報が記録され、ディスク型記録媒体２の最も内側の論理アドレス領域外には、必要に応じて所定の形式（好ましくはファイル形式でないデータ形式）の識別情報が記録され、その外側の論理アドレス領域の内側には、第１セッションのデータ本体に書き込むデータと第２セッションに追記する画像再生機器用データの開始アドレスが記録されたリードイン・ＴＯＣと、ダミーの画像再生機器用データ及び所定のアプリケーションを含むデータ本体と、リードアウトと、からなる第１セッションデータが記録される。
【００４１】
次に、上記手順で作成された記録媒体２に、記録装置２０を用いて画像再生機器用データを追記する手順について、図９のフローチャート図を参照して説明する。
【００４２】
まず、ステップＳ２０１で、記録装置２０のメディア装填部２２にメディア３を装填、又は、機器接続部２３にデジタルカメラ４やカメラ付き携帯電話機５を接続、又はネットワーク接続部２４を通信ネットワーク６に接続すると共に、記録媒体装填部２１に記録媒体２を装填する。
【００４３】
ここで、本実施例の記録媒体２は画像再生機器用データを追記できるように作成されたものであることから、他の記録媒体と識別するために、ステップＳ２０２で、該記録媒体２が上記手順で作成された記録媒体２であるかをチェックする。この記録媒体のチェック方法として、記録媒体２に予め定められたデータ（ここでは、上記第１セッションのデータ）が記録されているかをチェックしてもよいし、記録媒体２の特定の領域（例えば、論理アドレス領域外）に予め特定の識別情報が書き込まれているかをチェックしてもよい。
【００４４】
次に、チェックの結果、ＯＫの場合は、ステップＳ２０３で、データ入力手段２５を用いて、デジタルカメラ４やメディア３に記録された画像データやサーバ７に記録された画像データ、必要に応じて、画像データを音楽付きスライドショーとして再生するためのＢＧＭとして利用する音楽データなどを読み取り、必要に応じて、表示手段２８や操作手段２９を用いて記録媒体２に記録する画像データを選択する。
【００４５】
次に、ステップＳ２０４で、必要に応じて、データ変換手段２６を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００４６】
次に、ステップＳ２０５で、データ変換手段２６を用いて、読み取った画像データに基づいて動画データを生成した後、該動画データをＤＶＤプレーヤやＤＶＤレコーダ、ＨＤＤレコーダ、ゲーム機等の画像再生機器４０で再生可能なデータ（Ｖｉｄｅｏ−ＣＤ形式、ＤＶＤ−Ｖｉｄｅｏ形式、ＨＤＴＶ形式などのデータ）に変換する。上記画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００４７】
次に、ステップＳ２０６で、データ記録手段２７を用いて、先に記録された第１セッションの外側にリードイン・ＴＯＣを書き込む。このリードイン・ＴＯＣには、データ本体として書き込む画像再生機器用データと必要に応じて書き込むオリジナル画像データや縮小画像データなどのデータに関する情報（開始アドレスなど）を書き込む。
【００４８】
次に、ステップＳ２０７で、データ記録手段２７を用いて、リードイン・ＴＯＣの外側に、変換された画像再生機器用データや関連付けファイル等（以下、これらを総称して画像再生機器用データ群と呼ぶ。）を書き込み、引き続き、ステップＳ２０８で、必要に応じて、オリジナル画像データや縮小画像データや情報ファイル、音楽データなど（以下、これらを総称してコンピュータ機器用データ群と呼ぶ。）を書き込む。
【００４９】
次に、ステップＳ２０９で、データ記録手段２７を用いて、データ本体の外側にリードアウトを書き込み、第２セッションのデータの書き込みを終了する。
【００５０】
上記手順で作成された記録媒体２には図１２に示すように各種情報が記録され、先に記録された第１セッションデータの外側には、第２セッションに記録するデータ本体に関する情報を含むリードイン・ＴＯＣと入力した画像データに基づいて生成された画像再生機器用データを含むデータ本体とリードアウトとからなる第２セッションデータが記録される。
【００５１】
また、上記手順で作成された記録媒体２の記録構造は任意であるが、例えば、図１４に示すようにすることができる。この構造では、”PS_Roll”フォルダ内の画像データ、サムネイル画像データ、スクリーンネイル画像データなどの複数の種別の画像データ（画像データ群）と、記録媒体２の識別情報などが記録された情報ファイル（info.txt）、”APPL”フォルダ内のスライドショープログラム、スライドショーの設定ファイル、自動起動ファイル（Autorun.inf）などの他のデータ群とでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどでダミーの画像再生機器用データ及び追記した画像再生機器用データ等からなる画像再生機器用データ群が構成される。
【００５２】
上記画像データ群の記録に際して、画像データ群をデータ管理装置などにバックアップした場合における管理を容易にするために、予め定められたルールに従ってフォルダを構成し、そのフォルダにユニークな名称を付与することが好ましい。例えば、図１４に示すように、画像データの格納場所を示すフォルダ（PS_Roll）の下位の階層にメディア３毎、機器毎、フィルム毎の画像データの格納場所を示すフォルダ（ROYYMMDDyyy_XXXXXXAABxxx、ここではRO030416001_12345601C001）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などすることもできる。
【００５３】
次に、上記方法で画像再生機器用データが追記された記録媒体２ａを画像再生機器４０で再生する場合の動作について、図１０のフローチャート図を参照して説明する。
【００５４】
まず、ステップＳ３０１で、上記手順で画像再生機器用データを追記した追記済み記録媒体２ａを画像再生機器４０に装填する。
【００５５】
すると、ステップＳ３０２で、画像再生機器４０は、追記済み記録媒体２ａの第１セッションに書き込まれたリードイン・ＴＯＣの情報を読み取り、公知の手法を用いて、その中に記録された開始アドレスに対応するデータの中から画像再生機器で再生可能なデータ（例えば、Ｖｉｄｅｏ−ＣＤ形式、ＤＶＤ−Ｖｉｄｅｏ形式、ＨＤＴＶ形式などのデータ）を識別する。ここで、本実施例の追記済み記録媒体２ａには、予め第１セッションのダミーの画像再生機器用データと第２セッションの追記した画像再生機器用データの２つの対象となるデータが記録されており、第１セッションのリードイン・ＴＯＣには第１セッションに記録されたダミーの画像再生機器用データの開始アドレスに加えて、追記した画像再生機器用データの開始アドレスが記録されているため、画像再生機器４０はこの２つのデータを画像再生機器用データとして認識する。
【００５６】
次に、ステップＳ３０３で、対象となるデータにアクセスしてデータの再生を開始するが、まず、第１セッションのダミーの画像再生機器用データにアクセスしてデータを再生する。そして、ダミーの画像再生機器用データに表示すべきデータが含まれていない場合はステップＳ３０４でただちにダミーの画像再生機器用データの再生を終了し、予め定められた情報が記録されている場合は該情報を表示した後、ダミーの画像再生機器用データの再生を終了する。
【００５７】
ここで、従来の記録媒体では、第１セッションのリードイン・ＴＯＣには、第１セッション内のデータ本体の開始アドレスしか記録されておらず、また、画像再生機器４０では、通常、２番目以降のセッションを認識することができないため、第２セッションに追記された画像再生機器用データを再生することができないが、本実施例の記録媒体２ａには、第１セッションのリードイン・ＴＯＣに第２セッションのデータ本体の開始アドレスも記述されているため、ステップＳ３０５で、次の対象となるデータ（ここでは第２セッションの画像再生機器用データ）にアクセスしてデータを再生することができる。
【００５８】
そして、ステップＳ３０６で、追記された画像再生機器用データの再生を終了して、追記済み記録媒体２ａの再生を終了する。
【００５９】
また、上記追記済み記録媒体２ａをコンピュータ機器３０で再生する場合は、複数のセッションに記録されたデータを読み込むことができるため、第１セッションから画像表示プログラムを読み出し、第２セッションからオリジナル画像データや縮小画像データを読み出し、画像表示プログラムを用いて上記オリジナル画像データや縮小画像データを表示手段上に表示したり、画像データを利用した各種処理を実行することができる。
【００６０】
このように、本実施例の記録媒体２には、第１セッションのリードイン・ＴＯＣには、ダミーの画像再生機器用データの開始アドレスを示す情報に加えて、第２セッションに追記される画像再生機器用データの開始アドレスも記録され、データ本体には、ダミーの画像再生機器用データと画像データをコンピュータ機器３０で再生するための画像表示プログラムとが記録されているため、第２セッションに記録された画像再生機器用データも再生することが可能となる。
【００６１】
なお、前記した追記目的用記録媒体作成装置１０では、リードイン・ＴＯＣに開始アドレスのみを記録する構成としたが、リードイン・ＴＯＣに対象となるデータの開始アドレスとデータ長とを記録することもできる。その場合、第１セッションの書き込みの段階では、記録装置２０で入力する画像データの数量やデータサイズが分からないため、追記する画像再生機器用データのデータ長を知ることができず、第１セッションのリードイン・ＴＯＣに該データのデータ長を書き込むことができない。そのような場合には、第２セッションの画像再生機器用データを作成する際（ステップＳ２０５）に、入力された画像データにダミーの画像データを追加し、該ダミーデータの数量を調整することにより予め定められたデータ長の画像再生機器用データが生成されるようにすることができ、このようにしておけば、第１セッションのリードイン・ＴＯＣに第２セッションに追記する画像再生機器用データのデータ長を書き込むこともできる。
【実施例２】
【００６２】
次に、本発明の第２の実施例に係る追記目的用記録媒体の作成方法及び作成装置並びに該方法で作成された記録媒体について、図１５乃至図１８を参照して説明する。図１５は、追記目的用記録媒体作成装置の機能を示すブロック図である。また、図１６は、本実施例の追記目的用記録媒体作成装置を用いた追記目的用記録媒体の作成手順を示すフローチャート図であり、図１７は、データが追記された記録媒体の再生手順を示すフローチャート図である。また、図１８は、各々のセッションの構成を示す図である。
【００６３】
前記した第１の実施例では、第１セッションのリードイン・ＴＯＣに、第１セッションのデータ本体の開始アドレスに加えて第２セッションに追記する画像再生機器用データの開始アドレスを書き込む構成としたが、第１セッションのリードイン・ＴＯＣには第１セッションのデータ本体の開始アドレスのみを記録しておき、データ本体に書き込むダミーの画像再生機器用データに第２セッションに追記する画像再生機器用データを再生させるための再生指示情報（例えば、追記する画像再生機器用データの開始アドレス）を書き込むことによっても、同様に追記した画像再生機器用データを画像再生機器４０で再生させることができる。
【００６４】
この場合の、追記目的用記録媒体作成装置１０の構成をブロック図で示すと図１５のようになり、追記される画像再生機器用データの記録媒体２上の開始アドレスや、第１セッションに記録するアプリケーションなどを記憶する記憶手段１２と、追記される画像再生機器用データを再生させるための再生指示情報を書き込んだダミーの画像再生機器用データを生成するダミーデータ生成手段１４と、記録媒体２に第１セッションのデータを記録する記録手段１３とを備えている。
【００６５】
なお、本実施例においても追記目的用記録媒体作成装置１０の形態は任意であり、図１のようにキオスク型の記録装置２０としてもよいし、図２に示すようにパーソナルコンピュータなどのコンピュータ機器としてもよいし、図３に示すように専用のセットトップボックスとしたり、図４に示すようにポータブルライタとしたり、図５に示すようにＤＶＤレコーダやＨＤＤレコーダとしてもよいし、演算処理機能を備えたカーナビゲーション機器などとしてもよい。また、上記記録装置２０の形態も任意であり、例えば、キオスク型の記録装置としてもよいし、専用のセットトップボックスとしたり、ポータブルライタとしたり、ＤＶＤレコーダやＨＤＤレコーダとしてもよいし、演算処理機能を備えたカーナビゲーション機器などとしてもよい。
【００６６】
次に、上記構成の追記目的用記録媒体作成装置１０を用いて、追記目的用の記録媒体２を作成する手順について、図１６のフローチャート図を参照して説明する。
【００６７】
まず、ステップＳ４０１で、追記目的用記録媒体作成装置１０の記録媒体装填部１１に記録媒体２を装填する。次に、ステップＳ４０２で、予め定められた領域に記録媒体２を識別するための識別情報などが記録されているかなど、装填された記録媒体２が本発明の記録媒体として適しているかをチェックする。
【００６８】
次に、ステップＳ４０３で、記憶手段１２から、画像表示プログラムなどのアプリケーションと、追記される画像再生機器用データの記録媒体２上の開始アドレスとを読み出す。なお、本実施例でも、第１セッションに書き込むデータ本体として、第１セッションのデータを画像再生機器データとして認識させるためのダミーの画像再生機器用データ及び画像データをコンピュータ機器３０で再生するための画像表示プログラムを例にして説明するが、データ本体としてはダミーの画像再生機器用データが含まれていればよく、アプリケーションが含まれていなくてもよいし、上記以外の他のデータやアプリケーションなどが含まれていてもよい。
【００６９】
次に、ステップＳ４０４で、ダミーデータ生成手段１４を用いて、第２セッションに追記する画像再生機器用データを画像再生機器４０で再生させる再生指示情報（例えば、追記する画像再生機器用データの開始アドレス）が書き込まれたダミーの画像再生機器用データを生成する。このダミーの画像再生機器用データの構成は特に限定されないが、例えば、画像再生機器用データを構成する関連付けファイルに、再生するデータとして第２セッションに記録した画像再生機器用データを指定するように再生指示情報を書き込むことができる。
【００７０】
次に、ステップＳ４０５で、記録手段１３を用いて、リードイン・ＴＯＣに、第１セッションのデータ本体の開始アドレス（図１８の開始アドレスａ）のみを書き込み、ステップＳ４０６で、データ本体としてダミーデータ生成手段１４で生成したダミーの画像再生機器用データと画像表示プログラムなどのアプリケーションとを書き込み、ステップＳ４０７で、データ本体の外側にリードアウトを書き込み、第１セッションのデータの書き込みを終了する。
【００７１】
次に、上記記録媒体２に、前記した第１の実施例と同様の手順で、記録装置２０を用いて画像再生機器用データを追記する。次に、上記方法で画像再生機器用データが追記された記録媒体２ａを画像再生機器４０で再生する場合の動作について、図１７のフローチャート図を参照して説明する。
【００７２】
まず、ステップＳ５０１で、上記手順で画像再生機器用データを追記した追記済み記録媒体２ａを画像再生機器４０に装填する。
【００７３】
すると、ステップＳ５０２で、画像再生機器４０は、追記済み記録媒体２ａの第１セッションに書き込まれたリードイン・ＴＯＣの情報を読み取り、公知の手法を用いて、その中に記録された開始アドレスに対応するデータの中から画像再生機器で再生可能なデータ（例えば、Ｖｉｄｅｏ−ＣＤ形式、ＤＶＤ−Ｖｉｄｅｏ形式、ＨＤＴＶ形式などのデータ）を識別する。ここで、本実施例の追記済み記録媒体２ａには、予め第１セッションのダミーの画像再生機器用データと第２セッションの追記した画像再生機器用データの２つの対象となるデータが記録されているが、画像再生機器４０はダミーの画像再生機器用データのみを画像再生機器用データとして認識する。
【００７４】
次に、ステップＳ５０３で、第１セッションのダミーの画像再生機器用データにアクセスしてデータの再生を開始する。すると、ダミーの画像再生機器用データには、第２セッションの画像再生機器用データの再生を指示する再生指示情報が書き込まれているため、ステップＳ５０４でダミーの画像再生機器用データの再生をスキップして、ステップＳ５０４で、追記した画像再生機器用データの再生を開始する。
【００７５】
そして、ステップＳ５０６で、追記された画像再生機器用データの再生を終了して、追記済み記録媒体２ａの再生を終了する。
【００７６】
このように、本実施例の記録媒体２には、第１セッションのデータ本体には、ダミーの画像再生機器用データと画像データをコンピュータ機器３０で再生するための画像表示プログラムとが記録され、ダミーの画像再生機器用データには、第２セッションに追記される画像再生機器用データを再生させるための再生指示情報が書き込まれているため、第２セッションに記録された画像再生機器用データも再生することが可能となる。
【００７７】
なお、上記各実施例では、画像再生機器用のデータを追記する場合について記載したが、本発明は上記実施例に限定されるものではなく、第１セッションに記録されたデータしか通常、再生することができない他の種類のデータに関しても、同様に適用することができる。
【図面の簡単な説明】
【００７８】
【図１】本発明の第１の実施例に係るデータ追記システムの構成を模式的に示す図である。
【図２】本発明の第１の実施例に係る追記目的用記録媒体作成装置の外観構成を示す図である。
【図３】本発明の第１の実施例に係る追記目的用記録媒体作成装置の他の外観構成を  示す図である。
【図４】本発明の第１の実施例に係る追記目的用記録媒体作成装置の他の外観構成を示す図である。
【図５】本発明の第１の実施例に係る追記目的用記録媒体作成装置の他の外観構成を示す図である。
【図６】本発明の第１の実施例に係る追記目的用記録媒体作成装置の構成を示すブロック図である。
【図７】本発明の第１の実施例に係る記録装置の構成を示すブロック図である。
【図８】本発明の第１の実施例に係る追記目的用記録媒体作成装置を用いた記録媒体の作成手順を示すフローチャート図である。
【図９】記録装置を用いた画像再生機器用データの追記手順を示すフローチャート図である。
【図１０】画像再生機器を用いた追記データの再生手順を示すフローチャート図である。
【図１１】本発明の第１の実施例の記録媒体におけるセッションの構成を示す図である。
【図１２】本発明の第１の実施例の記録媒体におけるデータの記録領域を示す図である。
【図１３】記録媒体の構造を模式的に示す図である。
【図１４】本発明の第１の実施例の記録媒体におけるデータの記録構造を示す図である。
【図１５】本発明の第２の実施例に係る追記目的用記録媒体作成装置の構成を示すブロック図である。
【図１６】本発明の第２の実施例に係る追記目的用記録媒体作成装置を用いた記録媒体の作成手順を示すフローチャート図である。
【図１７】画像再生機器を用いた追記データの再生手順を示すフローチャート図である。
【図１８】本発明の第２の実施例の記録媒体におけるセッションの構成を示す図である。
【符号の説明】
【００７９】
１  データ追記システム
２  記録媒体
２ａ  追記済み記録媒体
３  メディア
４  デジタルカメラ
５  カメラ付き携帯電話機
６  通信ネットワーク
７  サーバ
１０  追記目的用記録媒体作成装置
１１  記録媒体装填部
１２  記憶手段
１３  記録手段
１４  ダミーデータ生成手段
２０  記録装置
２１  記録媒体装填部
２２  メディア装填部
２３  機器接続部
２４  ネットワーク接続部
２５  データ入力手段
２６  データ変換手段
２７  データ記録手段
２８  表示手段
２９  操作手段
３０  コンピュータ機器
４０  画像再生機器
１００  ポリカーボネート基板
１０１  有機色素層
１０２  反射層
１０３  保護層
【図１】
2005353161.tif 000003
【図２】
2005353161.tif 000004
【図３】
2005353161.tif 000005
【図４】
2005353161.tif 000006
【図５】
2005353161.tif 000007
【図６】
2005353161.tif 000008
【図７】
2005353161.tif 000009
【図８】
2005353161.tif 000010
【図９】
2005353161.tif 000011
【図１０】
2005353161.tif 000012
【図１１】
2005353161.tif 000013
【図１２】
2005353161.tif 000014
【図１３】
2005353161.tif 000015
【図１４】
2005353161.tif 000016
【図１５】
2005353161.tif 000017
【図１６】
2005353161.tif 000018
【図１７】
2005353161.tif 000019
【図１８】
2005353161.tif 000020